(57)【要約】【課題】ペンを使用する際の姿勢に制限を伴うことが少なく、一定の太さでマーキング等を行うことのできるマーキングペンを提供することにある。【解決手段】インキが含浸可能な材料からなる第１及び第２の芯体１１、１２と、これら芯体１１、１２間に位置する遮断部材１４と、芯体１１、１２及び遮断部材１４を一体的に保持する筒軸１５とを備えてマーキングペン１０が構成されている。芯体１１、１２と遮断部材１４を一体化して構成されるペン先側２０は、その外周形状が球面若しくは湾曲面に設けられ、これにより、芯体１１、１２で線等を引くときの幅が一定となるようになっている。【選択図】図２
2011126215.tif 000002
【特許請求の範囲】
【請求項１】
異なる色のインキを用いた多色型のマーキングペンであって、
インキが含浸可能な材料からなる複数の芯体と、各芯体間に位置する遮断部材と、これら芯体及び遮断部材を一体的に保持する筒軸とを備え、
前記芯体と遮断部材を一体として形成されるペン先側の先端部外周形状が球面若しくは湾曲面に設けられていることを特徴とするマーキングペン。
【請求項２】
前記遮断部材はペン先側を径方向に二分割する方向に位置し、当該遮断部材を挟んで二つの芯体が対称配置されていることを特徴とする請求項１記載のマーキングペン。
【請求項３】
前記ペン先側は先端から後方にかけて次第に大径化するテーパ面を備え、当該テーパ面を形成する各芯体の一部が前記筒軸の先端から表出していることを特徴とする請求項１又は２記載のマーキングペン。
【請求項４】
前記芯体は筆記圧の反力で弾性変形可能な軟質部材により構成され、前記遮断部材は芯体よりも硬い弾性変形可能な樹脂材料により構成されていることを特徴とする請求項１，２又は３記載のマーキングペン。
【発明の詳細な説明】
【技術分野】
【０００１】
本発明はマーキングペンに係り、特に、複数の色からなる芯体を一体化してペン先側を形成し、任意の色を用いてマーキング等を行うことのできる多色型のマーキングペンに関する。
【背景技術】
【０００２】
文字等を隠蔽することなく当該文字を明瞭化させるために、一般に「マーカー」と称呼されるマーキングペンが広く流通し、利用されている。公知のマーキングペンは、本体を構成する筒軸の一端側にフェルト等からなる一色のペン先を表出させたものが一般的であり、異なる色によってマーキング（識別）を行うためには、別途のマーキングペンが利用されている。
【０００３】
このように、マーキングペンは、種々の色を用いることによって、記載事項を明瞭化したり、識別し易くすることができ、多数の色表示を行う場合に備えて多数本のマーキングペンを保有する利用者が多い。従って、マーキングペンをペンケースに入れる場合には、その数が他の筆記具よりも多くなって占有率を高くし、他の筆記具を収容する際の妨げとなる。
【０００４】
この場合、異なる色表示が可能な芯体を一体化させて一本のマーキングペンとすることで携帯若しくは保有するマーキングペンの本数を削減することができる。そのようなマーキングペンとしては、例えば、特許文献１、２に開示されている。
【先行技術文献】
【特許文献】
【０００５】
【特許文献１】実公昭６１−３９５８３号公報
【特許文献２】実開昭５８−９６９９５号公報
【発明の開示】
【発明が解決しようとする課題】
【０００６】
しかしながら、特許文献１に開示されたマーキングペンにあっては、ペン先を正面視したときの形状が方形をなすものであり、使用時の角度や向きによって線の太さがばらついてしまう等の不都合がある。しかも、二つの芯体を遮断する部材の先端が芯体の先端よりも後退した位置にあり、二つの色による意図しない線が紙面等に同時に描かれてしまう、という不都合を招来する。
この点、特許文献２には、相対する芯体間の遮断部材が芯体の先端と同一面内に位置する構成を開示されているが、同文献記載の芯体の先端形状は、ペン先を正面視したときの形状が特許文献１のものと実質的に同様となっている。従って、使用時のペンの向き、傾きによって、線の太さにばらつきを生じてしまう、という不都合は依然として解消することができない。
【０００７】
［発明の目的］
本発明は、このような不都合に着目して案出されたものであり、その目的は、ペンを使用する際の姿勢に制限を伴うことが少なく、一定の幅若しくは太さでマーキング等を行うことのできる多色型のマーキングペンを提供することにある。
【課題を解決するための手段】
【０００８】
前記目的を達成するため、本発明は、異なる色のインキを用いた多色型のマーキングペンであって、
インキが含浸可能な材料からなる複数の芯体と、各芯体間に位置する遮断部材と、これら芯体及び遮断部材を一体的に保持する筒軸とを備え、
前記芯体と遮断部材を一体として形成されるペン先側の先端部外周形状が球面若しくは湾曲面に設けられる、という構成を採っている。
【０００９】
本発明において、前記遮断部材はペン先側を径方向に二分割する方向に位置し、当該遮断部材を挟んで二つの芯体が対称配置される、という構成を採ることが好ましい。
【００１０】
また、前記ペン先から後方領域にかけて次第に大径化するテーパ面を備え、当該テーパ面が前記筒軸の先端から表出している構成を採るとよい。
【００１１】
更に、前記芯体は筆記圧の反力で弾性変形可能な軟質部材により構成され、前記遮断部材は芯体よりも硬い弾性変形可能な樹脂材料により構成されている。
【発明の効果】
【００１２】
本発明によれば、芯体と遮断部材とからなるペン先側の先端部形状が球面若しくは湾曲面であるため、紙面にあてがって線引き等を行うときの線の幅若しくは太さを一定とすることができる。
また、遮断部材を挟んで二つの芯体が対称配置されているので、個々の芯体を利用して線引き等を行う際に使用可能な領域を十分に確保することができる。
更に、テーパ面を構成する芯材部分が筒軸の先端から表出する構成であれば、通常の筆記具を手に持つのと同様にマーキングペンを持ったときに、一方の色が上位に表れることで、他方の色の芯体が適性位置にあることを容易に認識することができる。
また、遮断部材が芯体よりも硬い樹脂材料により構成されていれば、筆記に伴う押圧力が芯体の先端に作用して弾性収縮しても、遮断部材が堰となって他方の芯体が紙面に触れてしまうようなおそれを確実に阻止することができる。しかも、遮断部材が芯体よりも硬い構成であれば、遮断部材が相対的に凹んでしまうようなことはなく、この凹みにゴミが貯まってしまうような不都合も回避することができる。
【図面の簡単な説明】
【００１３】
【図１】本実施形態に係るマーキングペンの全体構成を示す概略斜視図。
【図２】図１のＡ−Ａ線に沿う断面斜視図。
【図３】図２のＢ矢視図。
【図４】マーキングペンの使用状態を示す説明図。
【図５】マーキングペンの他の使用状態を示す説明図。
【発明を実施するための形態】
【００１４】
図１ないし図３に示されるように、マーキングペン１０は、インキが含浸可能な材料、例えば、ウレタン系エラストマー等の弾性変形可能な材料によって構成された第１及び第２の芯体１１、１２と、各芯体１１、１２間に位置する遮断部材１４と、これら芯体１１、１２及び遮断部材１４を一体的に保持するとともに、利用者がマーキングペン１０を手で持つときの保持領域として作用する筒軸１５と、この筒軸１５内に位置するとともに、先端側（図２中上端側）が第１及び第２の芯体１１、１２に接するように配置された第１及び第２のインキ補充部材１６、１７とを備えて構成されている。
【００１５】
前記第１及び第２の芯体１１、１２は、図２及び図３に示されるように、遮断部材１４を挟んで相互に対称的な輪郭を備えた形状に設けられており、遮断部材１４と一体としたペン先側２０の先端部外周形状が球面若しくは湾曲面となるように設けられている。すなわち、第１及び第２の芯体１１、１２の表面は、遮断部材１４の表面と段差なく連なる表面形状とされている。このペン先側２０は、先端から後方（図２中下方）に向かうに従って、次第に大径化するテーパ面２１とされており、当該テーパ面２１は、筒軸１５の先端（図２中上端）より表出するように設けられ、これにより、使用者が、各芯体１１、１２の色を視覚的に認識できるようになっている。
【００１６】
前記遮断部材１４は、ペン先側２０を径方向に二分割する方向に位置し、当該遮断部材１４を挟んで第１及び第２の芯体１１、１２が対称位置に配置されるようになっている。この遮断部材１４は、第１及び第２の芯体１１、１２と、前記第１及び第２のインキ補充部材１６、１７間とを完全に遮断する長さを備えている。また、遮断部材１４は、第１及び第２のインキ補充部材１６、１７を収容する隔壁部材２５間に位置する本体部分１４Ａと、この本体部分１４Ａに段部１４Ｂを介して連なる先端側部分１４Ｃとからなる。先端側部分１４Ｃは、先端に向かうに従って、次第に板厚が漸減するように設けられ、これにより、第１及び第２の芯体１１、１２のペン先側２０の体積が相対的に小さくならないようになっている。この遮断部材１４は、第１及び第２の芯体１１、１２よりも硬い樹脂材料、例えば、ＥＶＡ又は合成ゴムにより構成されている。遮断部材１４は、筆記時の反圧が押圧力として当該遮断部材１４に加えられたときに、芯体１１、１２より内側への押圧変形若しくは収縮量が小さい範囲で内側に変形できる程度のものであれば足りる。
【００１７】
前記筒軸１５は、略円筒状をなし、円周の各半分領域の外周面は、第１及び第２の芯体１１、１２が含浸したインキの色で着色されている。この際、第１の芯体１１に対応するインキの色で筒軸１５の反対側の外周面を着色する一方、第２の芯体１２に対応するインキの色で筒軸１５の反対側の外周面を着色することが例示できる。つまり、筒軸１５は、例えば、第１の芯体１１が位置する側の外周面の色は、第２の芯体１１の色と同一色が表れるようにし、使用者は、その色を手がかりに線引き等を行うことができる。但し、筒軸１５の色は、第１及び第２の芯体１１、１２の色に対応して同一側に同一色を用いてよいことは勿論である。なお、軸筒１５の先端側は、次第に直径が細くなるテーパ状に設けられており、その内周面には、ペン先側２０を径方向内側に押圧して当該ペン先側２０を安定的に保持するリブ１５Ａ（図２参照）が形成されている。
【００１８】
前記インキ補充部材１６、１７は、前記筒軸１５内に配置された隔壁部材２５内に収容されており、所定の顔料で着色されたインキが含浸されて当該インキを第１及び第２の芯体１１、１２に補充するようになっている。インキ補充部材１６、１７の先端側は、凹部３０が形成され、当該凹部３０に第１及び第２の芯体１６、１７の後端部が受容されることで、インキ補充を行うための相互接触面積が大きく確保されている。
【００１９】
前記マーキングペン１０を用いて書面等に線を引くときは、例えば、図４に示されるように、ペン先側２０を紙面Ｐにあてがって同図中左右方向若しくは紙面直交方向に移動させることで、紙面Ｐに接している側の芯体１１又は１２によって線引き等を行うことができる。この際、使用を意図している色が筒軸１５の上面側に見えることになるので、使用者は、その色を参照して色決定を行うことができる。
【００２０】
また、例えば、第１及び第２の芯体１１、１２で色違いの平行線を引く場合には、図５に示されように、ペン先側２０を垂直姿勢としておき、当該ペン先側２０を同図中紙面直交方向に移動させることによって行うことができる。この際、遮断部材１４は、第１及び第２の芯体１１，１２より相対的に硬いので、第１及び第２の芯体１１、１２の先端が相互に接近してしまうようなことはなく、遮断部材１４の先端厚み分を隔てた間隔で線引きが可能となる。
【００２１】
従って、このような実施形態によれば、ペン先側２０の先端部外周が球面若しくは湾曲面とされているので、ペン先側２０の傾斜姿勢に影響を受けることなく一定の幅若しくは太さで線引き等を行うことができ、マーキングを綺麗に行うことが可能となる。
【００２２】
以上のように、本発明を実施するための最良の構成、方法等は、前記記載で開示されているが、本発明は、これに限定されるものではない。
すなわち、本発明は、主に特定の実施例に関して特に図示し、且つ、説明されているが、本発明の技術的思想及び目的の範囲から逸脱することなく、以上説明した実施例に対し、形状、材質、数量、位置若しくは配置等に関して当業者が様々な変更を加えることができるものである。
従って、既に開示した形状等の限定をした記載は、本発明の理解を容易にするために例示的に示したものであり、本発明を限定するものではないから、それらの形状等の限定を一部若しくは全部の限定を外した部材の名称での記載は、本発明に含まれるものである。
【００２３】
例えば、前記実施形態では、第１及び第２の芯体１１、１２を採用したが、芯体は更に増やしてもよい。この場合、周方向に沿って等区分して各芯体を配置することが好ましい。
【符号の説明】
【００２４】
１０  マーキングペン
１１  第１の芯体
１２  第２の芯体
１４  遮断部材
１５  筒軸
２０ペン先側
２１  テーパ面
【図１】
2011126215.tif 000003
【図２】
2011126215.tif 000004
【図３】
2011126215.tif 000005
【図４】
2011126215.tif 000006
【図５】
2011126215.tif 000007